【手続補正書】
【提出日】平成29年4月10日(2017.4.10)
【手続補正１】
【補正対象書類名】特許請求の範囲
【補正対象項目名】全文
【補正方法】変更
【補正の内容】
【特許請求の範囲】
【請求項１】
所定のシートに画像を形成する画像形成装置と、
前記画像形成装置の下流側に接続され、前記画像形成装置から前記シートを取得する第１アクセサリ装置と、
前記第１アクセサリ装置の下流側に接続され、前記第１アクセサリ装置から前記シートを取得する第２アクセサリ装置と、
前記画像形成装置、前記第１アクセサリ装置、及び前記第２アクセサリ装置を接続するネットワークバスと、
前記画像形成装置と前記第１アクセサリ装置とを接続する第１線と、
前記第１アクセサリ装置と前記第２アクセサリ装置とを接続する第２線と、を備える画像形成システムであって、
前記画像形成装置は、
前記第１アクセサリ装置及び前記第２アクセサリ装置をそれぞれ識別する装置識別情報と、前記第１アクセサリ装置及び前記第２アクセサリ装置の並び順とを記憶する記憶手段と、
前記ネットワークバスを介して前記第１アクセサリ装置及び前記第２アクセサリ装置と通信する第１通信手段と、
前記第１アクセサリ装置又は前記第２アクセサリ装置から受信する装置識別情報及び参加通知に基づいて、該装置識別情報が前記記憶手段に記憶されているか否かを判定し、前記装置識別情報が前記記憶手段に記憶されていない場合に、該装置識別情報を前記記憶手段に記憶するとともに、該装置識別情報に対応するアクセサリ装置に参加許可通知を前記ネットワークバスを介して送信し、前記装置識別情報がすでに前記記憶手段に記憶されている場合に、該装置識別情報を破棄する第１制御手段と、を備え、
前記第１アクセサリ装置は、
前記ネットワークバスを介して前記画像形成装置と通信する第２通信手段と、
前記第１線が接続される第１入力ポートと、
前記第２線が接続される第１出力ポートと、
前記第１入力ポートの状態に応じて、装置識別情報及び参加通知を前記ネットワークバスを介して前記画像形成装置へ送信し、前記参加通知を送信した後に前記ネットワークバスを介して前記画像形成装置から前記参加許可通知を受信した場合に、前記第１出力ポートの状態を変化させ、前記参加通知を送信した後に前記画像形成装置から前記参加許可通知を受信しなかった場合に前記装置識別情報を変更し、変更した装置識別情報を前記ネットワークバスを介して前記画像形成装置へ送信する第２制御手段と、を備え、
前記第２アクセサリ装置は、
前記ネットワークバスを介して前記画像形成装置と通信する第３通信手段と、
前記第２線が接続される第２入力ポートと、
前記第２入力ポートの状態に応じて、装置識別情報及び参加通知を前記ネットワークバスを介して前記画像形成装置へ送信し、前記参加通知を送信した後に前記ネットワークバスを介して前記画像形成装置から前記参加許可通知を受信した場合に、前記第１出力ポートの状態を変化させ、前記参加通知を送信した後に前記画像形成装置から前記参加許可通知を受信しなかった場合に前記装置識別情報を変更し、変更した装置識別情報を前記ネットワークバスを介して前記画像形成装置へ送信する第３制御手段と、を備えることを特徴とする、
画像形成システム。
【請求項２】
前記第３制御手段は、前記第２アクセサリ装置が並び順の最後尾である場合に、前記画像形成装置に下流側の参加通知が終了したことを示す通知を送信することを特徴とする、
請求項１記載の画像形成システム。
【請求項３】
前記第２制御手段は、参加処理を完了した後に前記第１アクセサリ装置の装置識別情報と同一の装置識別情報を有する他のアクセサリ装置の参加通知を検出した場合に、該他のアクセサリ装置へ参加が不可であることを示す通知を送信することを特徴とする、
請求項１又は２記載の画像形成システム。
【手続補正２】
【補正対象書類名】明細書
【補正対象項目名】発明の名称
【補正方法】変更
【補正の内容】
【発明の名称】画像形成システム
【手続補正３】
【補正対象書類名】明細書
【補正対象項目名】０００９
【補正方法】変更
【補正の内容】
【０００９】
上記課題を解決する本発明の画像形成システムは、所定のシートに画像を形成する画像形成装置と、前記画像形成装置の下流側に接続され、前記画像形成装置から前記シートを取得する第１アクセサリ装置と、前記第１アクセサリ装置の下流側に接続され、前記第１アクセサリ装置から前記シートを取得する第２アクセサリ装置と、前記画像形成装置、前記第１アクセサリ装置、及び前記第２アクセサリ装置を接続するネットワークバスと、前記画像形成装置と前記第１アクセサリ装置とを接続する第１線と、前記第１アクセサリ装置と前記第２アクセサリ装置とを接続する第２線と、を備える画像形成システムであって、前記画像形成装置は、前記第１アクセサリ装置及び前記第２アクセサリ装置をそれぞれ識別する装置識別情報と、前記第１アクセサリ装置及び前記第２アクセサリ装置の並び順とを記憶する記憶手段と、前記ネットワークバスを介して前記第１アクセサリ装置及び前記第２アクセサリ装置と通信する第１通信手段と、前記第１アクセサリ装置又は前記第２アクセサリ装置から受信する装置識別情報及び参加通知に基づいて、該装置識別情報が前記記憶手段に記憶されているか否かを判定し、前記装置識別情報が前記記憶手段に記憶されていない場合に、該装置識別情報を前記記憶手段に記憶するとともに、該装置識別情報に対応するアクセサリ装置に参加許可通知を前記ネットワークバスを介して送信し、前記装置識別情報がすでに前記記憶手段に記憶されている場合に、該装置識別情報を破棄する第１制御手段と、を備え、前記第１アクセサリ装置は、前記ネットワークバスを介して前記画像形成装置と通信する第２通信手段と、前記第１線が接続される第１入力ポートと、前記第２線が接続される第１出力ポートと、前記第１入力ポートの状態に応じて、装置識別情報及び参加通知を前記ネットワークバスを介して前記画像形成装置へ送信し、前記参加通知を送信した後に前記ネットワークバスを介して前記画像形成装置から前記参加許可通知を受信した場合に、前記第１出力ポートの状態を変化させ、前記参加通知を送信した後に前記画像形成装置から前記参加許可通知を受信しなかった場合に前記装置識別情報を変更し、変更した装置識別情報を前記ネットワークバスを介して前記画像形成装置へ送信する第２制御手段と、を備え、前記第２アクセサリ装置は、前記ネットワークバスを介して前記画像形成装置と通信する第３通信手段と、前記第２線が接続される第２入力ポートと、前記第２入力ポートの状態に応じて、装置識別情報及び参加通知を前記ネットワークバスを介して前記画像形成装置へ送信し、前記参加通知を送信した後に前記ネットワークバスを介して前記画像形成装置から前記参加許可通知を受信した場合に、前記第１出力ポートの状態を変化させ、前記参加通知を送信した後に前記画像形成装置から前記参加許可通知を受信しなかった場合に前記装置識別情報を変更し、変更した装置識別情報を前記ネットワークバスを介して前記画像形成装置へ送信する第３制御手段と、を備えることを特徴とする。
【手続補正４】
【補正対象書類名】明細書
【補正対象項目名】００１０
【補正方法】変更
【補正の内容】
【００１０】
本発明によれば、特別な作業や設定を行うことなく、アクセサリ装置の接続順序を容易に設定することができる。
【手続補正５】
【補正対象書類名】明細書
【補正対象項目名】００１６
【補正方法】変更
【補正の内容】
【００１６】
図２は、図１の画像形成システムの背面外観図である。各装置は、隣接する装置とケーブルにより接続され、データの送受信が可能となっている。そのために画像形成装置１は、コネクタ１５１、１５２を備える。第一給紙装置２はコネクタ２５１、２５２を備える。第二給紙装置３はコネクタ３５１、３５２を備える。第一スタッカ４はコネクタ４５１、４５２を備える。第二スタッカ５はコネクタ５５１、５５２を備える。くるみ製本装置６はコネクタ６５１、６５２を備える。フィニッシャ７はコネクタ７５１、７５２を備える。
【手続補正６】
【補正対象書類名】明細書
【補正対象項目名】００４９
【補正方法】変更
【補正の内容】
【００４９】
取得した上流側及び下流側装置リストが、ＲＡＭ１０３にバックアップされている上流側及び下流側装置リストと同一である場合又はバックアップが記憶されていない場合（Ｓ１０１４：Y）、ＣＰＵ１０１は、バックアップを更新する（Ｓ１０２１）。これによりＲＡＭ１０３にバックアップされている上流側及び下流側装置リストが更新される。また、ユーザが「強制起動」のソフトスイッチを選択した場合も（Ｓ１０１６：Y）、ＣＰＵ１０１は、バックアップされている上流側及び下流側装置リストを更新する（Ｓ１０２１）。バックアップを更新すると、ＣＰＵ１０１は、今回登録したすべてのノードＩＤのアクセサリ装置に、ネットワークバス１０を介して「ネットワーク構成確定通知」を送信して、ネットワーク構築を終了する（Ｓ１０２２）。
【手続補正７】
【補正対象書類名】明細書
【補正対象項目名】００６０
【補正方法】変更
【補正の内容】
【００６０】
図１０、図１１は、第二給紙装置３によるネットワーク構築処理を表すフローチャートである。処理内容は図８、図９と同様であるので説明を省略する。但し、第二給紙装置３は、第一給紙装置２の画像形成システムへの登録後に登録されるので、図１０のステップＳ３００７の処理が行われ、ノードＩＤが「３」になる。
【手続補正８】
【補正対象書類名】明細書
【補正対象項目名】００７１
【補正方法】変更
【補正の内容】
【００７１】
図２１は、画像形成装置１によるネットワーク構築処理を表すフローチャートである。画像形成装置１は、上流側のネットワーク構築処理を行い、引き続き下流側のネットワーク構築処理を行う。画像形成装置１のＣＰＵ１０１は、第１のネットワーク構築処理（図６のステップＳ１００１〜Ｓ１００６）と同様の処理を行う（Ｓ１２０１〜Ｓ１２０６）。
【手続補正９】
【補正対象書類名】明細書
【補正対象項目名】００７２
【補正方法】変更
【補正の内容】
【００７２】
ＣＰＵ１０１は、ステップＳ１２０６で受信した「参加通知」に含まれるノードＩＤ（Ｘ）がＲＡＭ１０３にすでに登録されているかを確認する（Ｓ１２０７）。登録されている場合（Ｓ１２０７：N）、ＣＰＵ１０１は、システムへの参加を不可とする「応答通知」を「参加通知」を送信したアクセサリ装置に送信する（Ｓ１２０８）。登録されていない場合（Ｓ１２０７：Y）、ＣＰＵ１０１は、図６のステップＳ１００８〜Ｓ１０２２と同様の処理を行う（Ｓ１２０９〜Ｓ１２２３）。ＣＰＵ１０１は、登録されたすべてのノードＩＤに「ネットワーク構成確定通知」を送信し、ネットワーク構築処理を終了する。
【手続補正１０】
【補正対象書類名】明細書
【補正対象項目名】００７４
【補正方法】変更
【補正の内容】
【００７４】
図２２は、各アクセサリ装置の画像形成システム参加後の処理を表すフローチャートである。画像形成システム参加前の処理については第１のネットワーク構築処理と同様であるので説明を省略する。各アクセサリ装置のＣＰＵは、ネットワークへの参加処理が終了すると、画像形成装置１からの「ネットワーク構成確定通知」の受信を待機し、「ネットワーク構成確定通知」を受信すると処理を終了する（Ｓ２２０１：Y）。アクセサリ装置は、他のアクセサリ装置から送信される「参加通知」を監視する必要がなくなる。